(57)【要約】【課題】  製造方法が簡素で、重さ及び重心が低いゴルフ・クラブヘッドを提供する。【解決手段】  上へ向く開口を有している金属製中空枠体と、前記開口を遮蔽している金属以外材料製のカバー体とからなり、前記中空枠体は、ほぼ直立していてボールを打撃するフェースと、前記フェースの前後両端縁と下端縁とから後側へ延伸してなったソールと、前記フェース及び前記ソールの後端部から延伸してなった中空筒状のネック部とから一体に構成され、前記開口は前記フェースと前記ソールと前記ネック部とから囲んでなっており、また、前記ソールには通孔が形成してあり、前記カバー体は、別体として形成され、甲部として前記中空枠体の上方から前記開口及び前記通孔を遮蔽するように前記中空枠体上に結合されている。【選択図】      図２
2005198830.tif 000002
【特許請求の範囲】
【請求項１】
上へ向く開口を有している金属製中空枠体と、前記開口を遮蔽している金属以外材料製のカバー体とからなり、
前記中空枠体は、
ほぼ直立していてボールを打撃するフェースと、
前記フェースの前後両端縁と下端縁とから後側へ延伸してなったソールと、
前記フェース及び前記ソールの後端部から延伸してなった中空筒状のネック部とから一体に構成され、前記開口は前記フェースと前記ソールと前記ネック部とから囲んでなっており、
また、前記ソールには通孔が形成してあり、
前記カバー体は、別体として形成され、甲部として前記中空枠体の上方から前記開口及び前記通孔を遮蔽するように前記中空枠体上に結合されていることを特徴とするゴルフ・クラブヘッド。
【請求項２】
前記通孔は、前記ソールの前端部の上縁近くに形成されていることを特徴とする請求項１に記載のゴルフ・クラブヘッド。
【請求項３】
前記通孔は、二つあり、それぞれ前記ソールの前端部及び後端部の上縁近くに形成されていることを特徴とする請求項１に記載のゴルフ・クラブヘッド。
【請求項４】
前記通孔は、前記ソールの上縁にも開口していることを特徴とする請求項２または３に記載のゴルフ・クラブヘッド。
【請求項５】
前記フェース及び前記ソールは、それぞれその上縁に沿って前記開口を覆う方向へ突出しているフランジを更に有し、前記カバー体は、前記２つのフランジの上面に保持されていることを特徴とする請求項１〜４のいずれかの一項に記載のゴルフ・クラブヘッド。
【請求項６】
前記カバー体は、炭素繊維、複合材からなる群より選ばれたもので成形されてなることを特徴とする請求項１〜５のいずれかの一項に記載のゴルフ・クラブヘッド。
【発明の詳細な説明】
【技術分野】
【０００１】
本発明は、ゴルフ・クラブヘッドに関し、特に金属と非金属との二種材料からなるゴルフ・クラブヘッドに関する。
【背景技術】
【０００２】
通常のゴルフ・クラブヘッド１は、図１に示すように、主としてほぼ直立していてボールを打撃するフェース（打撃面）１１と、フェース１１の前後両端縁１１１，１１２と下端縁１１３とから後側へ延伸したソール１２と、フェース１１の上端縁１１４から後側へソール１２の上縁と接するまで延伸した甲部１３と、フェース１１及びソール１２の後端部１１２，１２１から延伸した中空筒状のネック部１４とからなっている。
【０００３】
前記ゴルフ・クラブヘッド全体が金属や非金属中の単一の材料で構成される時、不都合の点があり、例えば全体がチタン合金やアルミ合金などの金属材だけからなる時、重量が重くてプレーヤの手首や腕に負担を掛ける上、弾性が悪く、重心が高いという欠点があり、また全体が例えば炭素繊維や複合材などの非金属材だけからなる時、重量が軽くて打撃距離が短い上、フェースの硬度が足りなくて壊れ易いという欠点があるので、現在は金属材と非金属材とを合わせてゴルフ・クラブヘッドを製造する傾向がある。
【０００４】
前記金属と非金属との二種材料からなるゴルフ・クラブヘッドとしては、日本特願２００１−１３６３０１において前記フェース、前記ソール及び前記ネック部が金属材からなり、前記甲部が複合材からなるものが開示されている。その製造方法は、まず前記フェースと前記ソールと前記ネック部とからなる分割枠部材を金属により一体に形成し、そして炭素繊維及び樹脂を含んでいる複合材からなる成形可能な密閉中空体を前記分割枠部材内に組み付けてから、空気の導入により前記密閉中空体を膨張させて前記甲部を形成する。それにより形成したゴルフ・クラブヘッドは、重量が適当で、弾性が良いのみならず、上の方にある甲部が軽量の複合材からなるので、重心が低くなり、打撃距離もそれに従って長くなるなどの利点がある。
【発明の開示】
【発明が解決しようとする課題】
【０００５】
しかしながら、前記従来のゴルフ・クラブヘッドは、製造工程が多くて複雑であるので、製造コストが高い問題がある。
【０００６】
したがって、上記に鑑みて、本発明は、その製造方法が簡素であるゴルフ・クラブヘッドを提供することを第１の目的とする。
【０００７】
その重さが従来よりも低く、重心が更に低減されるゴルフ・クラブヘッドを提供することを第２の目的とする。
【課題を解決するための手段】
【０００８】
前記目的を達成するために、発明者は、上へ向く開口を有している金属製中空枠体と、前記開口を遮蔽している金属以外材料製のカバー体とからなり、前記中空枠体は、ほぼ直立していてボールを打撃するフェースと、前記フェースの前後両端縁と下端縁とから後側へ延伸してなったソールと、前記フェース及び前記ソールの後端部から延伸してなった中空筒状のネック部とから一体に構成され、前記開口は前記フェースと前記ソールと前記ネック部とから囲んでなっており、また、前記ソールには通孔が形成してあり、前記カバー体は、別体として形成され、甲部として前記中空枠体の上方から前記開口及び前記通孔を遮蔽するように前記中空枠体上に結合されていることを特徴とするゴルフ・クラブヘッドを提供する。
【０００９】
この構成によるゴルフ・クラブヘッドは、粘着や溶接により前記カバー体を前記中空枠体上に結合させるのみにより形成されることができるので、製造方法が簡素である。また、前記従来のゴルフ・クラブヘッドもある開口の外に、前記ソールにも通孔が形成してあるので、重さが更に低減され、重心が従来よりも低く、打撃距離が長くなる。
【００１０】
そして、前記通孔は、前記ソールの前端部及び後端部のいずれかの上縁近くに形成されても良く、前記ソールの前端部の上縁近くにも後端部の上縁近くにもそれぞれ形成されても良い。
【００１１】
前記通孔は、前記ソールの上縁にも開口していることが好ましい。前記フェース及び前記ソールは、それぞれその上縁に沿って前記開口を覆う方向へ突出しているフランジを更に有し、前記カバー体は、前記２つのフランジの上面に保持されていることが好ましい。前記カバー体は、炭素繊維、複合材からなる群より選ばれたもので成形されてなることが好ましい。
【発明の効果】
【００１２】
本発明のゴルフ・クラブヘッドは、製造方法が簡素である上、重さ及び重心が更に低減されるので、打撃距離が長くなる。
【発明を実施するための最良の形態】
【００１３】
以下、本発明のゴルフ・クラブヘッドの好ましい実施形態を詳しく説明する。なお、以下の説明においては、そのサイズに拘わらず、略同一の機能及び構成を有する構成要素については、重複説明は必要な場合にのみ行う。
【００１４】
図２は、本発明のゴルフ・クラブヘッドの好ましい実施形態を示す分解斜視図であり、図３は、図２の他の方向から見た時の図であり、図４は、図２の組立後の斜視図である。
【００１５】
本発明のゴルフ・クラブヘッドは、図示のように、主として上へ向く開口２６を有している金属製中空枠体２と、開口２６を遮蔽している金属以外材料製のカバー体３とからなっている。
【００１６】
中空枠体２は、ほぼ直立していてボールを打撃するフェース２１と、フェース２１の前後両端縁２１１，２１２と下端縁２１３とから後側へ延伸してなったソール２２と、フェース２１及びソール２２の後端部２１２，２２２から延伸してなった中空筒状のネック部２３とから一体に構成されている。開口２６は、フェース２１とソール２２とネック部２３とから囲んでなっている。
【００１７】
また、開口２６以外に、ソール２２にも通孔が形成してある。本実施形態において前記通孔は二つ（２７，２８）あり、それぞれソール２２の前端部２２１及び後端部２２２の上縁近くに形成されている。通孔２７，２８は、図２及び図３に示すように、ソール２２の上縁にも開口している。
【００１８】
そして、フェース２１及びソール２２は、それぞれその上縁に沿って開口２６を覆う方向へ突出しているフランジ２４，２５を更に有している。
【００１９】
カバー体３は、炭素繊維、複合材からなる群より選ばれたもので、別体として形成され、かつ甲部として中空枠体２の上方から開口２６及び２つの通孔２７，２８を遮蔽するように中空枠体２上に結合されている。すなわち、カバー体３は、２つのフランジ２４，２５の上面に保持されている。
【００２０】
カバー体３と中空枠体２との結合は、粘着や溶接などの通常の方法で行われることができる。
【００２１】
図５は、本発明のゴルフ・クラブヘッドの他の実施形態の組立後の斜視図である。この実施形態におけるソール２２ａにも前記実施形態と同様に通孔（図示せず）が開けてあるが、その通孔は前記実施形態の通孔２７に当たる通孔の一つだけあるので、そのカバー体３ａは、前記実施形態の通孔２８に当たる箇所を覆うための部分を有しないように形成されている。そのため、この実施形態の重さが前記実施形態のものと比べてやや大であるが、図４に照らしてみると、そのソール２２ａの周面におけるカバー体３ａからの露出部分が前記実施形態の露出部分より広い。
【産業上の利用可能性】
【００２２】
本発明のゴルフ・クラブヘッドは、金属と非金属との二種材料からなるので、重量が適当でプレーヤの手首や腕に負担を掛けず、弾性が良い。また、上の方にある甲部が軽量の非金属材からなるので、重心が低くなり、打撃距離もそれに従って長くなる。そして、本発明のゴルフ・クラブヘッドは、前記カバー体及び前記中空枠体をそれぞれ成形してから、粘着や溶接により前記カバー体を前記中空枠体上に結合させるだけで形成されることができるので、製造方法が非常に簡素である。また、従来のゴルフ・クラブヘッドもある開口の外に、ソールにも通孔が形成してあるので、重さが更に低減され、重心がさらに低く、打撃距離が長くなる。
【００２３】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【図面の簡単な説明】
【００２４】
【図１】通常のゴルフ・クラブヘッドの斜視図である。
【図２】本発明のゴルフ・クラブヘッドの好ましい実施形態を示す分解斜視図である。
【図３】図２の他の方向から見た時の図である。
【図４】図２の組立後の斜視図である。
【図５】本発明のゴルフ・クラブヘッドの他の実施形態を示す分解斜視図である。
【符号の説明】
【００２５】
２      中空枠体
２１    フェース
２１１  前端縁
２１２  後端縁
２１３  下端部
２１４  上端部
２２、２２a  ソール
２２１  前端部
２２２  後端部
２３    ネック部
２４、２５  フランジ
２６  開口
２７，２８  通孔
３、３a  カバー体
【図１】
2005198830.tif 000003
【図２】
2005198830.tif 000004
【図３】
2005198830.tif 000005
【図４】
2005198830.tif 000006
【図５】
2005198830.tif 000007